(57)【要約】【課題】信号光と迷光との干渉を抑制するだけではなく、迷光同士の干渉も抑制する光ピックアップ装置及び光ディスク装置を得る。【解決手段】レーザ光を出力する発光部１と、光を検知する光検知器１０と、発光部１からのレーザ光を光ディスク７が有する複数の記録層のうちの所定の記録層へ集光し、光ディスク７からの反射光を光検知器１０へ導く光学系と、この光学系の中に設けられ、反射光の中央部に位置する第１の領域８ａ及びこの領域に対し反射光のうちの光ディスクの回転方向側に隣接する第２の領域８ｂを有し、これらの領域を透過した光により光検知器１０上の中央部の光検知面１０１ｂと、他の光検知面１０１ａ、１０１ｃの干渉状態が異なるように第１の領域と第２の領域との偏光方向を直交させる偏光回転素子８とを備える。【選択図】図１
2010020812.tif 000002
【特許請求の範囲】
【請求項１】
レーザ光を出力する発光部と、
光を検知する光検知器と、
前記発光部からのレーザ光を光ディスクが有する複数の記録層のうちの所定の記録層へ集光し、前記光ディスクからの反射光を前記光検知器へ導く光学系と、
前記光学系の中に設けられ、前記反射光の中央部に位置する第１の領域及びこの領域に対し前記反射光のうちの前記光ディスクの回転方向側に隣接する第２の領域を有し、これらの領域を透過した光により前記光検知器上の中央部の光検知面と他の光検知面の干渉状態が異なるように前記第１の領域と前記第２の領域との偏光方向を直交させる偏光回転素子とを備えた光ピックアップ装置。
【請求項２】
前記第１の領域の前記回転方向に対応する幅は、
前記所定の記録層を前記光ディスクが有する前記複数の記録層のうち奥側の記録層とした場合、この所定の記録層より記録層の層間分だけ前記光ディスクの表面側からの反射に相当する第１の反射光のうち、前記第１の領域を透過した光が前記他の光検知面に入射しない幅以下であり、
この所定の記録層より前記層間分だけ前記光ディスクの奥側からの反射に相当する第２の反射光のうち、前記第１の領域を透過した光が前記他の光検知面を覆う幅以上であるように設定された請求項１記載の光ピックアップ装置。
【請求項３】
前記第１の領域の前記光ディスクの半径方向に対応する幅は、
前記第２の反射光のうち、前記第１の領域を透過した光が前記他の光検知面を覆う幅以上になるように設定された請求項１記載の光ピックアップ装置。
【請求項４】
前記第２の領域の前記光ディスクの半径方向に対応する幅は、
前記光ディスクでの回折によって発生する０次光と±１次光を含む前記第１の反射光のうち、前記偏光回転素子上において前記±１次光が透過する領域まで達しない幅である請求項１記載の光ピックアップ装置。
【請求項５】
前記第２の領域の前記光ディスクの回転方向に対応する幅は、
前記第１の反射光のうち、前記第２の領域を透過した光が前記他の光検知面を覆う幅以上になるように設定された請求項１記載の光ピックアップ装置。
【請求項６】
前記偏向回転素子は、波長板、透明基板で挟みこんだ液晶板、又は、ナノインプリントによる周期構造を有する板で構成された請求項１ないし５のいずれかに記載の光ピックアップ装置。
【請求項７】
前記偏光回転素子は、前記反射光の波長の半分の位相をずらす素子だけで構成された請求項１ないし５のいずれかに記載の光ピックアップ装置。
【請求項８】
請求項１ないし７のいずれかに記載の光ピックアップ装置と、
前記光ディスクを回転させるモータ及びモータ駆動回路と、
前記光ピックアップ装置の前記発光部を駆動するレーザ駆動回路と、
前記光ピックアップ装置からの信号によりサーボ信号と再生信号を生成する信号生成回路と、
前記信号生成回路からのサーボ信号により前記光ピックアップ装置の位置を制御するサーボ駆動回路と、
前記レーザ駆動回路とモータ駆動回路とサーボ駆動回路を制御する制御回路とを備えた光ディスク装置。
【発明の詳細な説明】
【技術分野】
【０００１】
この発明は、複数の記録層を有する光ディスクに対応した光ピックアップ装置及び光ディスク装置に関する。
【背景技術】
【０００２】
複数の記録層を有する光ディスクとして、例えば、ＤＶＤやＢｌｕ−ｒａｙ  Ｄｉｓｃがあり、それぞれ片面に２層の記録層を有するディスクが存在する。今後、３層、４層と記録層が増えて行くことも考えられるため、複数の記録層を有する光ディスクの記録や再生を可能とする光ピックアップ装置及び光ディスク装置が必要となる。しかし、例えばレーザ光を第１の記録層に集光させたとき、他の記録層が関係して反射された光を迷光と定義し、第１の記録層だけで反射された光を信号光と定義した場合、迷光の光量は信号光の光量に対して無視できないため、サーボ制御に悪影響を及ぼす。そのため、従来の光ピックアップおよび光ディスク装置においては、迷光の影響を低減する対策の１つとして、信号光と迷光との干渉を抑制する偏光回転素子を用いている（例えば、特許文献１参照。）。
【０００３】
【特許文献１】特開２００７−２５７７５０号公報（第７頁、第４図）
【発明の開示】
【発明が解決しようとする課題】
【０００４】
従来の光ピックアップおよび光ディスク装置では、信号光と迷光との干渉のみを低減するものであり、迷光同士の干渉は解消されないため、迷光の影響を低減する対策は不十分となっている。迷光同士の干渉は、記録層が増えるほど迷光の種類が増えるため、記録層が増えるほど迷光同士の干渉の影響は大きくなり、サーボ制御性が低下するという問題点があった。
【０００５】
この発明は、上述のような問題点を解決するためになされたもので、信号光と迷光との干渉を抑制するだけではなく、迷光同士の干渉も抑制する光ピックアップ装置及び光ディスク装置を得るものである。
【課題を解決するための手段】
【０００６】
この発明に係る光ピックアップ装置及び光ディスク装置は、レーザ光を出力する発光部と、光を検知する光検知器と、発光部からのレーザ光を光ディスクが有する複数の記録層のうちの所定の記録層へ集光し、光ディスクからの反射光を光検知器へ導く光学系と、この光学系の中に設けられ、反射光の中央部に位置する第１の領域及びこの領域に対し反射光のうちの光ディスクの回転方向側に隣接する第２の領域を有し、これらの領域を透過した光により光検知器上の中央部の光検知面と他の光検知面の干渉状態が異なるように第１の領域と第２の領域との偏光方向を直交させる偏光回転素子とを備えるものである。
【発明の効果】
【０００７】
この発明によれば、反射光の中央部の第１の領域と、この領域に対し反射光のうちの光ディスクの回転方向側に隣接する第２の領域との偏光方向を直交させる偏光回転素子を用い、光検知器上の中央部の光検知面と他の光検知面の干渉状態が異なるようにしたので、信号光と迷光との干渉を抑制すると共に、迷光同士の干渉も抑制するので、サーボ制御信号に対する迷光の影響が低減された光ピックアップ装置及び、サーボ制御性に優れた光ディスク装置が得られる。
【発明を実施するための最良の形態】
【０００８】
実施の形態１．
図１はこの発明の実施形態１における光ピックアップ装置の構成図であり、３ビームと非点収差によるサーボ制御方式を用いるものである。光ピックアップ装置は、レーザ光を出力する発光部である半導体レーザ１と、回折格子２、ビームスプリッタ３、コリメータレンズ４、４分のλ板５、対物レンズ６、偏光回転素子８、シリンドリカルレンズ９から成る光学系と、光検知器１０から構成される。
【０００９】
半導体レーザ１から波長λのレーザ光が図中のｚ軸方向に出射され、回折格子２によって光ディスク７の回転方向に沿って少なくとも０次光と±１次光の３つの光ビームに分岐される。このとき、０次光と±１次光との光量比は５対１から２０対１の範囲にある。３つの光ビームは、偏光ビームスプリッタ３を透過し、コリメータレンズ４によって略平行光にされ、４分のλ板５を透過し、対物レンズ６によって光ディスク７の所定の記録層に集光される。
【００１０】
３つの光ビームは、光ディスク７の記録層で反射され、往路の逆の経路をたどり、対物レンズ６、４分のλ板５、コリメータレンズ４を通過する。このとき、３つの光ビームは４分のλ板５を往路復路で２回通ることにより、偏光方向が往路と直交する方向に偏光される。それにより、偏光ビームスプリッタ３によって復路ではｙ軸方向に反射され、信号光と迷光との干渉を抑制する偏光回転素子８を透過し、シリンドリカルレンズ９を透過して光検知器１０に集光する。
【００１１】
このように構成された光学系の光検知器面での像について説明をする。図２（ａ）は光検知器１０を示しており、信号光の集合光１３０を検知する少なくとも３つ以上の光検知面１０１を有し、３つの光ビームのうち、０次光を受光する中央部の光検知面が、光検知面の部分領域１０１ｂであり、±１次光を受光する他の光検知面が、光検知面の部分領域１０１ａ、１０１ｃである。光ディスクの記録層が単一の場合、３つの光ビームは、図２（ａ）の信号光の集合光１３０のように光検知面１０１に収まるように集光する。このとき、光検知面１０１ｂは、少なくともｚ軸、ｘ軸に略平行な境界で４つの領域に分割され、シリンドリカルレンズ９で発生する非点収差の効果を利用して、記録層からの焦点ずれ量を検出する。
【００１２】
図３は、２層の光ディスク７における記録層での反射を示しており、図３（ａ）は光ディスク７に入射してきた光ビーム１１に対し、所定の記録層としての第１の記録層７１に集光させる場合、すなわち、第１の記録層７１を複数の記録層のうち奥側とした場合の反射の様子である。第１の記録層７１によって反射された信号光の光ビーム１２０は、記録層のトラックの案内溝によって回折された０次光の１２０ａと±１次光の１２０ｂとで構成される。０次光１２０ａと±１次光１２０ｂは図２（ａ）の光検知面１０１上で干渉し、プッシュプル成分としてトラッキングサーボ制御に用いる。
【００１３】
また、図３（ｂ）は、所定の記録層より記録層の層間分だけ光ディスクの表面側からの反射に相当する第２の記録層７２による反射を示している。入射光ビーム１１の一部は第２の記録層７２で反射され、これを第１の迷光（第１の反射光）と定義する。第１の迷光１２１は、第１の記録層７１での反射と同様に記録層のトラックの案内溝によって回折され、０次光の１２１ａと±１次光の１２１ｂが出射される。
【００１４】
図２（ｂ）は２層の光ディスク７を記録／再生した場合の光検知器１０における集光の様子を示している。なお、ここでは図２（ａ）の外枠の四角形は省略している。第１の記録層７１で反射された信号光１２０は、単層光ディスクの記録／再生時と同様に、光検知面１０１に収まるように集光する。それに対し、上記の第２の記録層７２で反射された迷光１２１は、信号光１２０が記録層の層間距離分デフォーカスした点での反射と同義であるため、第１の迷光１２１の０次光１２１ａは集光光１３１に、±１次光の１２１ｂは、集光光１３３にと光検知面１０１を覆うように集光する。
【００１５】
また、図３（ｃ）は、所定の記録層より記録層の層間分だけ光ディスクの奥側からの反射に相当するもの、すなわち、第１の記録層７１で反射された光ビームが第２の記録層７２で反射され、更に、第１の記録層７１で反射された場合の様子を示している。なお、第１の記録層よりさらに奥に第３の記録層がある場合は、そこからの反射に相当する。信号光１２０の一部は第２の記録層７２で反射され、第１の記録層７１に入射し反射される。これを第２の迷光（第２の反射光）と定義する。第２の迷光１２２は、第１の記録層７１での反射と同様に記録層のトラックの案内溝によって回折され、０次光の１２２ａと±１次光の１２２ｂが出射される。
【００１６】
図２（ｂ）において、上記第２の迷光も、上記第１の迷光の場合と同様にして、第２の迷光１２２の０次光１２２ａは集光光１３２に、±１次光の１２２ｂは集光光１３４にと、光検知面１０１を覆うように集光する。
【００１７】
図２（ｂ）において、信号光の集光光１３０以外は迷光の集光光であるため、光検知面１０１上で迷光の集光光は重なり合ってしまう。光検知面１０１で迷光の集光光の受光量が一定であれば、信号光の集光光１３０に重畳するオフセットとなるため、差し引けばよい。しかし、迷光同士が干渉してしまうためにオフセットは揺らぐこととなり、信号光の集光光１３０、すなわちサーボ制御信号に悪影響を与えることとなる。
【００１８】
特に、光検知面１０１のうち、回折格子２で分岐した光ビーム１１の±１次光が集光する１０１ａおよび１０１ｃにおいては、光ビーム１１の０次光に対し光量が５分の１から２０分の１であるため、迷光の影響をそれだけ強く受けることとなる。すなわち、光検知面１０１ｂにおける迷光の影響の５倍から２０倍も、光検知面１０１ａおよび１０１ｃにおける迷光の影響は大きいことになる。
【００１９】
上記した光検知面１０１ａおよび１０１ｃにおける迷光の影響を抑えるための素子が、偏光回転素子８である。偏光回転素子８は、例えば、図４（ａ）および（ｂ）に示すように３つの領域８１ａ、８１ｂ、８２に分割されたパターンを有し、それぞれの領域を透過する光ビームの偏光方向を変える。２つの光ビームの偏光方向を互いに直交させることにより干渉現象を抑制できる物理現象を利用するものであり、後述する幅Ｗ１およびＷ２を所定の長さにすることで、中央部の光検知面１０１ｂと、他の検知面１０１ａ、１０１ｃとの干渉状態を変化させるので、光検知面１０１ａおよび１０１ｃにおける迷光の干渉を低減させることができる。
【００２０】
このとき、図４（ｃ）に示すように、偏光回転素子８は、光軸中央部の第１の領域８ａと、この第１の領域８ａに対し光ディスクの回転方向（タンジェンシャル方向）に隣接する第２の領域８ｂと、光ディスクの半径方向（ラジアル方向）の第３の領域８ｃに分割できる。図４（ｂ）における領域８２は第１の領域８ａおよび第３の領域８ｃの合成領域に、また、領域８１ａおよび８１ｂは第２の領域８ｂに等しい。すなわち、幅Ｗ１およびＷ２は第１の領域８ａの形状に対応しており、後述するように、迷光同士の干渉を抑えるためには、この領域８ａを所定の形状にする必要がある。
【００２１】
図５は光ビームが上記光回転素子８を透過する様子を示しており、図６は光検知面１０１における集光の様子を示している。図５（ａ）は、偏光回転素子８を透過する光ビームの光束１２のうち、第１の迷光１２１が透過する様子を、図５（ｂ）は、信号光１２０が透過する様子を、図５（ｃ）は、第２の迷光１２２が透過する様子を示している。図６（ａ）〜（ｃ）は、それぞれ図５（ａ）〜（ｃ）を通った光の光検知面１０１における集光の様子を示している。また、図６（ｄ）は図６（ａ）と（ｃ）の干渉を、図６（ｅ）は、図６（ａ）と（ｂ）の干渉の様子を示している。なお、図６（ｅ）においては、影響が小さいのと、表記の簡略化のため、図６（ａ）上の、第１の迷光の±１次回折光の集光光１３３の記載は省略している。
【００２２】
ここで、領域８１ａおよび８１ｂの幅Ｗ２は、図５（ａ）および（ｂ）に示すように、第１の迷光の±１次光１２１ｂおよび第２の迷光の±１次光１２２ｂが、領域８１ａおよび８１ｂを透過しないように設定する。これにより、図６（ａ）に示すように、第１の迷光の集光光の部分領域１３１ａの偏光方向と、第１の迷光の±１次回折光の集光光１３３の偏光方向とが直交するため、光検知面１０１ａおよび１０１ｃ上での干渉が抑えられる（斜線の直交する部分が、偏光方向が直交する部分を示している）。
【００２３】
また、領域８１ａと８１ｂとの間隔Ｗ１は、図６（ａ）に示すように、第１の迷光の集光光の部分領域１３１ａが光検知面１０１ａおよび１０１ｃを覆い｛あるいは、偏光回転素子８の中央部（第１の領域８ａ）を透過した光である第１の迷光の集光光の部分領域１３１ｂが、光検知面１０１ａおよび１０１ｃに入射しない幅Ｗ３以下｝、かつ、図６（ｃ）に示すように、第２の迷光の集光光の部分領域１３２ｂ｛図５（ｃ）において偏光回転素子８の中央部（第１の領域８ａ）を透過した光｝が光検知面１０１ａおよび１０１ｃを覆うような値Ｗ４以上を満足するように設定する。その結果、図６（ｄ）に示すように、光検知面１０１ａおよび１０１ｃ上で、第１の迷光の集光光１３１と第２の迷光の集光光１３２との偏光方向が直交する領域を形成し、干渉が抑えられる。偏光方向が直交する領域は、図５（ａ）および（ｃ）に示すように、第１の迷光１２１と第２の迷光１２２との光束径の差を利用して形成する。
【００２４】
また、図６（ｂ）に示すように、信号光１２０の集光光１３０の部分領域１３０ｂは、図６（ａ）の第１の迷光の集光光の部分領域１３１ａと偏光方向が直交するため、図６（ｅ）に示すように、光検知面１０１ａおよび１０１ｃ上での、部分領域１３０ｂにおける干渉が抑えられる。
【００２５】
さて、偏光回転素子８の領域８１ａおよび８１ｂは、例えば、２分のλ板（λは半導体レーザ１から出射される光の波長）で構成され、領域８１ａおよび８１ｂを透過する光ビームの偏光方向を９０度回転させる。また、領域８２は、例えば、透明な基板によって構成され、領域８２を透過する光ビームはそのまま透過させる。これにより、領域８１ａおよび８１ｂを透過した光ビームと領域８２を透過した光ビームは直交する。
【００２６】
ここで、領域８１ａおよび８１ｂでの偏光方向と領域８２での偏光方向を直交させればよく、例えば、領域８１ａおよび８１ｂを４分のλ板とし、領域８２を４分の３λ板として、偏光方向を直交させてもよい。さらに、波長板の偏光を回転する領域が、領域８１ａおよび８１ｂと領域８２とで逆であってもよい。
【００２７】
また、偏光回転素子８は、例えば、透明基板で挟みこんだ液晶板や、ナノインプリント技術などによって偏光を回転させる領域を形成してもよい。ナノインプリントを用いる場合は、例えば、増田修、他「ナノインプリント技術を用いた広帯域波長板の作製」ＫＯＮＩＣＡ  ＭＩＮＯＬＴＡ  ＴＥＣＨＮＯＬＯＧＹ  ＲＥＰＯＲＴ  ＶＯＬ．５、２００８年、１０１〜１０６頁、にその詳細が記載されている。
【００２８】
このように構成された光ピックアップ装置によれば、偏光回転素子８を用いることにより、迷光の影響を受けやすい光検知面１０１ａおよび１０１ｃにおいて、信号光の集光光１３０と第１の迷光の集光光１３１との干渉が抑えられるだけでなく、第１の迷光の集光光１３１と第１の迷光の±１次光の集光光１３３との干渉が抑えられ、さらに、第１の迷光の集光光１３１と第２の迷光の集光光１３２との干渉も抑えられるという効果がある。その結果、光検知面１０１ａおよび１０１ｃで受光したサーボ制御信号に対する迷光の影響が低減できる光ピックアップ装置が得られる。
【００２９】
実施の形態２．
実施の形態１では、偏光回転素子８は、部分領域８１ａ、８１ｂ、８２と３つの領域を持っていたが、位相をずらす素子だけで構成されていてもよい。図７はこの発明の実施形態２における偏光回転素子の図であり、領域８１ａおよび８１ｂの部分のみを波長板としている。このとき、波長板は２分のλ板で構成される。領域８１ａと領域８１ｂとのｚ方向の間隔Ｗ１、および、領域８１ａおよび領域８１ｂのｘ方向の幅Ｗ２は、実施の形態１と同様の値にする必要がある。
【００３０】
このとき、領域８１ａおよび８１ｂとそれ以外の領域とで、波長板の厚さの分だけ光路差を生じるが、図１に示したように、偏光回転素子８は光検知器１０に近い位置に配置されており、光路差による収差の影響は小さい。また、領域８１ａおよび８１ｂとそれ以外の領域との境界において、光ビームの乱反射が考えられるが、同様の理由で影響は小さい。
【００３１】
このような偏光回転素子を有する光ピックアップ装置によれば、実施の形態１との差異は少ない。そのため、光検知面１０１ａおよび１０１ｃ上での信号光と迷光の干渉、および、迷光同士の干渉が抑えられるという効果を有するため、サーボ制御信号に対する迷光の影響が低減できる光ピックアップ装置が得られる。
【００３２】
実施の形態３．
実施の形態１では、偏光回転素子８は、部分領域８１ａ、８１ｂ、８２と３つの領域を持っていたが、２つの領域であってもよい。図８はこの発明の実施形態３における偏光回転素子の図であり、領域８１は、偏光回転素子８を透過する光ビームの光束１２の全体を囲うような環状であり、領域８１ａと領域８１ｂとを一体化させている。
【００３３】
領域８１における光束１２の領域を囲う部分は、光ビームとは無関係の場所に配置されているため、光検知面１０１上に及ぼす影響はない。したがって、実施の形態１との差異は実質なく、実施の形態１と同様に、信号光と迷光の干渉、および、迷光同士の干渉が抑えられ、サーボ制御信号に対する迷光の影響が低減できる光ピックアップ装置が得られる。
【００３４】
実施の形態４．
実施の形態１〜３の偏光回転素子８では、偏光領域のタンジェンシャル方向（光ディスクの回転方向）の幅は、光束１２の領域より外側まで延びているが、後述する条件以上あればよい。図９はこの発明の実施形態３における偏光回転素子の図であり、図中の幅Ｗ５は間隔Ｗ１を含む領域８１ａと８１ｂをあわせた長さであり、幅Ｗ５は後述する条件を満たす長さ以上あればよい。
【００３５】
図１０は、図９に示した偏光回転素子８を用いた場合の光検知器１０上の集光の様子を示している。図１０（ａ）は第１の迷光の集光光１３１の様子を、図１０（ｂ）は信号光の集光光１３０の様子を、図１０（ｃ）は第２の迷光の集光光１３２の様子を示し、図１０（ｄ）は第１の迷光の集合光１３１（図１０（ａ））と第２の迷光の集光光１３２（図１０（ｃ））の干渉の様子を示している。
【００３６】
図１０（ａ）において、偏光回転素子８の部分領域８１ａおよび８１ｂ（第２の領域８ｂ）を透過した迷光の集光光１３１は、部分領域１３１ａである。この部分領域１３１ａのｚ軸方向の幅を、光検知面１０１全体のｚ軸方向の幅Ｗ４以上（第１の迷光のうち第２の領域８ｂを透過した光が光検知面１０１ａおよび１０１ｃを覆う幅以上）となるように設定すれば良い。光検知面１０１ａおよび１０１ｃにおいて、第１の迷光の集光光１３１（図１０（ａ））と、第２の迷光の集光光１３２（図１０（ｃ））とが干渉する領域（図１０（ｄ））が避けられる幅となる。
【００３７】
したがって、幅Ｗ５を、光検知器１０上で幅Ｗ４以上となるような値に設定すれば、実施の形態１との差異はなく、実施の形態１と同様に、信号光と迷光の干渉、および、迷光同士の干渉が抑えられ、サーボ制御信号に対する迷光の影響が低減できる優れた光ピックアップ装置が得られる。
【００３８】
実施の形態５．
実施の形態１〜４では、例えば図４（ｃ）に示したように、偏光回転素子上の領域８ｂは中央部で分断されているが、ここでは、一体化された場合について述べる。図１１はこの発明の実施形態３における偏光回転素子の図である。このとき、図中の幅Ｗ１及び幅Ｗ２は実施の形態１と同様の値にする必要があるが、幅Ｗ６は後述する条件を満たす長さ以上あればよい。
【００３９】
図１２は、図１１に示した偏光回転素子８を用いた場合の光検知器１０上の集光の様子を示している。図１２（ａ）は第１の迷光の集光光１３１の様子を、図１２（ｂ）は信号光の集光光１３０の様子を、図１２（ｃ）は第２の迷光の集光光１３２の様子を示し、図１２（ｄ）は第１の迷光の集合光１３１（図１２（ａ））と第２の迷光の集光光１３２（図１２（ｃ））の干渉の様子を示している。
【００４０】
図１２（ｃ）において、偏光回転素子の部分領域８１を透過した第２の迷光の集光光１３２は、部分領域１３２ａである。また、偏光回転素子の部分領域８２を透過した第２の迷光の集光光１３２は、部分領域１３２ｂ及び１３２ｃである。この部分領域１３２ｃのｘ軸方向の幅を、光検知面１０１ａ及び１０１ｃのｘ軸方向の幅Ｗ７以上（第２の迷光のうち第１の領域８ａを透過した光が光検知面１０１ａ及び１０１ｃ覆う幅以上）となるように設定すれば良い。光検知面１０１ａおよび１０１ｃにおいて、第１の迷光の集光光１３１（図１２（ａ））と、第２の迷光の集光光１３２（図１２（ｃ））とが干渉する領域（図１２（ｄ））が避けられる幅となる。
【００４１】
したがって、幅Ｗ６を、光検知器１０上で幅Ｗ７以上となるような値に設定すれば、実施の形態１との差異はなく、実施の形態１と同様に、信号光と迷光の干渉、および、迷光同士の干渉が抑えられ、サーボ制御信号に対する迷光の影響が低減できる光ピックアップ装置が得られる。
【００４２】
実施の形態６．
図１３は、この発明の光ピックアップ装置を搭載した光ディスク装置の構成のブロック図を示している。光ピックアップ装置１４は、例えば図１に示した構成をしており、光ディスク７に対して半径方向に可動な機構を有する。半径位置の制御は、制御回路２０からサーボ駆動回路１７を通して行われる。また、回転方向の位置制御は、制御回路２０からスピンドルモータ駆動回路１６を通してスピンドルモータ１５を制御することにより行う。
【００４３】
記録及び再生時には、制御回路２０からレーザ駆動回路１９を通して光ピックアップ装置１４内の半導体レーザ１に供給する電力を制御し、所定のパワーで光ビームを出射させる。光ディスク７で反射した前記光ビームは、光検知器１０によって電気信号に変換され、サーボ信号及び再生信号生成回路１８によってサーボ信号と再生信号が生成される。このサーボ信号はフォーカス制御信号及びトラッキング制御信号からなり、サーボ駆動回路１７によって光ピックアップ装置１４内のアクチュエータを駆動し、フォーカス制御及びトラッキング制御が行われる。一方、再生信号はＡ／Ｄ変換、復調やデコード等の処理が行われ、記録されたデータが抽出される。
【００４４】
このような構成の光ディスク装置によれば、サーボ制御信号に対する迷光の影響が低減できる光ピックアップ装置を搭載しているため、サーボ制御性に優れた光ディスク装置が得られる。
【図面の簡単な説明】
【００４５】
【図１】この発明の実施形態１を示す光ピックアップ装置の構成図である。
【図２】この発明の実施形態１の光ディスク記録／再生時における光検知器面での集光の様子を示す図である。
【図３】この発明の実施形態１の２層光ディスク記録／再生時における記録層での反射の様子を示す図である。
【図４】この発明の実施形態１における偏光回転素子の図である。
【図５】この発明の実施形態１における偏光回転素子の図である。
【図６】この発明の実施形態１における光検知器面での集光の様子を示す図である。
【図７】この発明の実施形態２における偏光回転素子の図である。
【図８】この発明の実施形態３における偏光回転素子の図である。
【図９】この発明の実施形態４における偏光回転素子の図である。
【図１０】この発明の実施形態４における光検知器面での集光の様子を示す図である。
【図１１】この発明の実施形態５における偏光回転素子の図である。
【図１２】この発明の実施形態５における光検知器面での集光の様子を示す図である。
【図１３】この発明の実施の形態６を示す光ディスク装置の構成のブロック図である。
【符号の説明】
【００４６】
１  半導体レーザ（発光部）
２  回折格子
３  偏光ビームスプリッタ
４  コリメータレンズ
５  ４分のλ板
６  対物レンズ
７  光ディスク
７１  第１の記録層
７２  第２の記録層
８  偏光回転素子
８ａ  第１の領域
８ｂ  第２の領域
８ｃ  第３の領域
８１、８１ａ、８１ｂ  偏光回転素子の部分領域
８２  偏光回転素子の部分領域
９  シリンドリカルレンズ
１０  光検知器
１０１  光検知面
１０１ｂ  光検知面の部分領域（中央部の光検知面）
１０１ａ、１０１ｃ  光検知面の部分領域（他の光検知面）
１１  入射光ビーム
１２  反射光ビーム
１２０  信号光
１２０ａ  信号光の０次光
１２０ｂ  信号光の±１次光
１２１  第１の迷光
１２１ａ  第１の迷光の０次光
１２１ｂ  第１の迷光の±１次光
１２２  第２の迷光
１２２ａ  第２の迷光の０次光
１２２ｂ  第２の迷光の±１次光
１３０  信号光の集光光
１３０ａ、１３０ｂ  信号光の集光光の部分領域
１３１  第１の迷光の集光光
１３１ａ、１３１ｂ、１３１ｃ  第１の迷光の集光光の部分領域
１３２  第２の迷光の集光光
１３２ａ、１３２ｂ、１３２ｃ  第２の迷光の集光光の部分領域
１３３  第１の迷光の±１次回折光の集光光
１３４  第２の迷光の±１次回折光の集光光
１４  光ピックアップ装置
１５  スピンドルモータ
１６  スピンドルモータ駆動回路
１７  サーボ駆動回路
１８  サーボ信号・再生信号生成回路
１９  レーザ駆動回路
２０  制御回路
【図１】
2010020812.tif 000003
【図２】
2010020812.tif 000004
【図３】
2010020812.tif 000005
【図４】
2010020812.tif 000006
【図５】
2010020812.tif 000007
【図６】
2010020812.tif 000008
【図７】
2010020812.tif 000009
【図８】
2010020812.tif 000010
【図９】
2010020812.tif 000011
【図１０】
2010020812.tif 000012
【図１１】
2010020812.tif 000013
【図１２】
2010020812.tif 000014
【図１３】
2010020812.tif 000015